(57)【要約】【課題】読取媒体の厚さ等が変化してもこれに応じて精度良く搬送することが可能な画像読取装置を提供する。【解決手段】駆動ローラ３と従動ローラ４によるローラ対によってマウントキャリア２を挟持搬送し、読取手段によって画像を読み取る画像読取装置において、複数の駆動ローラ３を装置本体１側に設けるとともに、複数の従動ローラ４を装置本体１に対して移動可能なローラ保持枠５に設け、該ローラ保持枠５の移動によって複数の従動ローラ４が複数の駆動ローラ３に対して平行移動するよう構成したことを特徴とする。【選択図】    図１
2004236260.tif 000002
【特許請求の範囲】
【請求項１】
第１回転体と第２回転体による回転体対によって処理媒体を挟持搬送し、処理手段によって画像処理を行う画像処理装置において、
複数の第１回転体を装置本体側に設けるとともに、複数の第２回転体を装置本体に対して移動可能な保持手段に設け、該保持手段の移動によって前記複数の第２回転体が前記複数の第１回転体に対して平行移動するよう構成したことを特徴とする画像処理装置。
【発明の詳細な説明】
【０００１】
【発明の属する技術分野】
本発明は原稿や記録シート等の処理媒体を搬送し、画像の読み取りや記録等の画像処理を行うことが可能な画像処理装置に関する。
【０００２】
【従来の技術】
スキャナ等の画像読取装置は原稿やフィルムをローラ対等の搬送手段で読取部へ搬送し、読取部において光照射して光学的に読み取る。このとき、読取媒体の厚さが異なる複数形態の原稿読み取りが可能となると、応用範囲の広い画像読取装置となる。
【０００３】
そこで、例えば特開平０９−１７９９７１号公報等に開示されているように、写真用のストリップフィルムを搬送して読み取る場合と、スライド用フィルムをはめ込んだマウントを搬送して読み取る場合とでは読取媒体装填口の幅等を切り替え可能とするように、読取媒体に応じて装填口やローラの位置を変化させられるようにしたものが提案されている。
【０００４】
【特許文献１】
特開平０９−１７９９７１号公報
【０００５】
【発明が解決しようとする課題】
しかしながら、前記従来例では読取媒体を搬送するローラを読取媒体の厚さに応じて移動させるにあたり、ローラを保持する部材をヒンジ軸を中心として回動させることで移動させる構成であった。このため、読取媒体を安定して送るために複数のローラ対を設けた場合、回動中心のヒンジ軸からの距離によってローラ間の間隔が変化し、読取媒体を精度よく搬送できないことがあった。
【０００６】
本発明は上記課題を解決するものであり、その目的は、処理媒体の厚さ等が変化してもこれに応じて精度良く搬送することが可能な画像処理装置を提供するものである。
【０００７】
【課題を解決するための手段】
上記目的を達成するための本発明に係る代表的な構成は、第１回転体と第２回転体による回転体対によって処理媒体を挟持搬送し、処理手段によって画像処理を行う画像処理装置において、複数の第１回転体を装置本体側に設けるとともに、複数の第２回転体を装置本体に対して移動可能な保持手段に設け、該保持手段の移動によって前記複数の第２回転体が前記複数の第１回転体に対して平行移動するよう構成したことを特徴とする。
【０００８】
上記構成にあっては、複数ある回転体対の間隔がどの回転体対でも等しくなり、厚さの異なる処理媒体に対して安定した搬送が可能になる。
【０００９】
【発明の実施の形態】
次に本発明の一実施形態に係る画像処理装置について図面を参照して説明する。なお、画像処理装置としては処理媒体として原稿を搬送し、その画像を画像処理手段としての読取手段で読み取る画像読取装置や、処理媒体として記録シート等記録媒体を搬送し、これに画像処理手段としての記録手段で画像を記録する記録装置等があるが、ここでは処理媒体としてフィルム等の読取媒体を搬送して画像を読み取る画像読取装置を例示して説明する。
【００１０】
図１は厚手の処理媒体を搬送するときの装置の断面模式説明図、図２は薄手の読取媒体を搬送するときの装置の断面模式説明図である。また、図３は搬送手段の上視説明図であり、図４は厚手読取媒体であるスライドマウントキャリアの搬送状態説明図、図５は薄手読取媒体であるストリップフィルムの搬送状態説明図である。
【００１１】
｛装置全体構成｝
本実施形態に係る画像読取装置は、図１に示すように、マウントキャリア２を搬送し、あるいは図２に示すように、ストリップフィルム１７を搬送し、フィルム画像を読み取るものである。なお、前記マウントキャリア２にはスライド用フィルム１９（図４参照）がマウントされている。
【００１２】
図１及び図２において、１は装置本体で、第１回転体としての駆動ローラ３を回転可能に支持している。また、４は第２回転体としての従動ローラで、保持手段を構成するローラ保持枠５に回転可能に支持されている。これら駆動ローラ３及び従動ローラ４は、図３に示すように、スライドマウントキャリア２（あるいはストリップフィルム１７）の搬送方向に４組、且つ幅方向（搬送方向と直交する方向）に２列設けられ、合計８対のローラ対が設けられている。
【００１３】
前記各従動ローラ４は、図１に示すように、バネ６によって駆動ローラ３の方向に付勢されていて、駆動ローラ４との間にスライドマウントキャリア２、あるいは図２に示すように、ストリップフィルム１７を挟持する構成になっており、駆動ローラ３に連結した駆動モータ１４を駆動することによって読取媒体であるスライドマウントキャリア２、あるいはストリップフィルム１７を搬送することができるようになっている。
【００１４】
前記ローラ保持枠５は図１及び図２の上下方向に移動可能設けられ、後述するようにカム手段の動作によって上下に平行移動するようになっている。
【００１５】
搬送された読取媒体は処理手段としての読取手段によって画像が読み取られる。この読取手段は、照明手段としての照明ランプ１０やレンズ１２、ＣＣＤラインセンサ１３等で構成され、読取媒体を照明ランプ１０で光照射し、その透過光をミラー１１、レンズ１２を介してＣＣＤラインセンサ１３上に投影して読み取るようになっている。なお、前記照明ランプ１０はローラ保持枠５に保持されていて、スライドマウントキャリア２内のフィルム１９、あるいはフィルム１７上の画像を照明するように配置されている。
【００１６】
１６は読取媒体の位置を検出するためのセンサとなる光センサである。この光センサ１６はローラ保持枠５に保持され、図４に示すように、スライドマウントキャリアに設けられた位置検出用の穴２ａを検出することができるようになっている。従って、マウントキャリア２が搬送されるとき、前記穴２ａの数を数えることによってスライドマウントキャリア２の位置を検知できる。同様に、ストリップフィルム１７を搬送するときは、図５に示すように、フィルム１７に設けられた穴１７ａを検出し、この穴１７ａの数を数えることによりフィルム１７の位置を検知することが可能である。
【００１７】
１５は本画像読み取り装置の制御回路であり、ＣＣＤラインセンサ１３に投影された画像光を画像信号に変換し、また駆動モータ１４の駆動制御を行っている。
【００１８】
｛保持枠の平行移動構成｝
次に前記ローラ保持枠５を読取媒体の厚さ方向である、図１及び図２の上下方向に平行移動させるための構成について説明する。
【００１９】
図１及び図２に示すように、ローラ保持枠５はバネ７によって上方向に付勢され、装置本体１に回転可能に支持されたカム８に当接している。このカム８は、図３に示すように、ローラ保持枠５の４隅近傍に配置され、軸８ａによって２個ずつが同位相で一体的に回転可能となっており、さらにそれぞれの軸８ａがベルト９によって駆動連結されている。また、２本の軸８ａのうち、一方の軸８ａには操作ツマミ１８が固着されている。
【００２０】
従って、前記操作ツマミ１８を回転操作すると、ベルト９によって連結された２本の軸８ａが同時に回転し、４個のカム８が同位相で回転する。そして、４個のカム８の形状は同一に構成されており、このためカム８に当接するようにバネ７で付勢されたローラ保持枠５はカム８の回転によって平行移動する。
【００２１】
ローラ保持枠５の下限の位置と上限の位置はカム８の形状によって正確に決まることになる。カム８の形状は、図１及び図２に示すように、ローラ保持枠５が上限、あるいは下限位置にあるときにはカム８の平面部がローラ保持枠５に当接する形状となっており、ローラ保持枠５はバネ７で上方向に付勢されているので、上限あるいは下限位置では自己保持されることになる。
【００２２】
前述した照明ランプ１０及び光センサ１６もローラ保持枠５に保持され、ローラ保持枠５が上下に移動する際には一体に上下移動する。このため、図１に示すように、ローラ保持枠５が上昇した状態でのスライドマウントキャリア２内のスライド用フィルム１９と照明ランプ１０あるいは光センサ１６との距離と、図２に示すように、ローラ保持枠５が下降した状態でのストリップフィルム１７と照明ランプ１０あるいは光センサ１６との距離とはほぼ等しくなり、読取媒体の厚さが変化しても照明ランプ１０で照明された画像の照度や光センサ１６の出力には大きな変化がないという効果がある。
【００２３】
次に読取媒体としては厚手のマウントキャリア２を搬送して読み取る場合と、読取媒体としては薄手のストリップフィルム１７を搬送して読み取る場合の動作について説明する。
【００２４】
操作ツマミ１８を、図１に示す反時計回り方向に回転すると、全てのカム８が同様に反時計方向に回転し、それに従ってローラ保持枠５が上昇して上限位置に停止して自己保持される（図１の状態）。この状態でスライドマウントキャリア２を駆動ローラ３と従動ローラ４との間に装填すると、駆動モータ１４の駆動が開始され、スライドマウントキャリア２が光センサ１６にて位置検知されながら右方向に送られ、フィルム１９上の画像光がＣＣＤラインセンサ１３に投影されている間、読み取り動作が行われる。
【００２５】
また、スライドマウントキャリア２を取り出した状態で、操作ツマミ１８を、図２に示す時計回り方向に回すと、カム８も同様に回転し、ローラ保持枠５が下降して下限位置に自己保持される（図２の状態）。この状態でストリップフィルム１７を駆動ローラ３と従動ローラ４との間に装填すると、駆動モータ１４の駆動が開始され、フィルム１７が光センサ１６にて位置検知されながら右方向に送られ、フィルム１７上の画像光がＣＣＤラインセンサ１３に投影されている間、読み取り動作が行われる。
【００２６】
ここで、前記スライドマウントキャリア２、ストリップフィルム１７ともに８対の駆動ローラ３と従動ローラ４の回転体対によって保持、搬送が行われるため、搬送中に駆動ローラ３とスライドマウントキャリア２、あるいはストリップフィルム１７との間にすべりは発生し難く、正確で安定したフィルム給送が可能であり、この結果、読み取り画像の精度も向上している。
【００２７】
本実施形態にあっては前述のように厚さの異なる複数種の読取媒体に応じ、それぞれの駆動ローラ３に対して、これに対応するそれぞれの従動ローラ４が平行移動するために、各ローラ対の間隔に差がなく、複数のローラ対による安定した高精度の搬送が可能となり、高精度の画像読み取りが可能となる。
【００２８】
また、同一形状の複数のカムを同期させて移動させるという簡単な機構で、高精度の平行移動が可能となった。
【００２９】
また、複数のカムをベルトで連結する簡単で低コストな機構により正確に同期させた移動が可能となった。
【００３０】
さらに、従動ローラ４と共に照明ランプ１０も平行移動させることにより、複数種の読取媒体に対してほぼ等しい照度での照明が可能になり、どの読取媒体においても適正な照明で画像読み取りができる。
【００３１】
なお、前述した実施形態では画像読取装置を例示して説明したが、処理媒体として記録シート等の記録媒体を駆動ローラと従動ローラとで挟持搬送し、記録手段において所定画像を記録する記録装置にあっても、前述したようにローラを平行移動可能に構成することで、記録媒体の厚さにかかわらず安定、高精度で搬送することが可能となるので効果的である。
【００３２】
〔実施態様〕
次に本発明を適用し得る好ましい実施態様を以下に列挙する。
【００３３】
［実施態様１］  第１回転体と第２回転体による回転体対によって処理媒体を挟持搬送し、処理手段によって画像処理を行う画像処理装置において、
複数の第１回転体を装置本体側に設けるとともに、複数の第２回転体を装置本体に対して移動可能な保持手段に設け、該保持手段の移動によって前記複数の第２回転体が前記複数の第１回転体に対して平行移動するよう構成したことを特徴とする画像処理装置。
【００３４】
［実施態様２］  前記保持手段は画像を読み取るために光照射する照明手段を有することを特徴とする実施態様１記載の画像処理装置。
【００３５】
［実施態様３］  複数の同形状のカム手段を有し、該カム手段を同期させて駆動することによって前記保持手段を移動させるように構成したことを特徴とする実施態様１又は実施態様２に記載の画像処理装置。
【００３６】
［実施態様４］  前記複数のカム手段を同期させるためにベルトにて該カム手段同士を連結させて駆動することを特徴とする実施態様３記載の画像処理装置。
【００３７】
【発明の効果】
以上説明したように本発明にあっては、複数種の処理媒体それぞれに対して複数の回転体対による安定、且つ高精度の搬送が可能となり、高精度の画像処理が可能となるものである。
【図面の簡単な説明】
【図１】厚手の読取媒体を搬送するときの装置の断面模式説明図である。
【図２】薄手の読取媒体を搬送するときの装置の断面模式説明図である。
【図３】搬送手段の上視説明図である。
【図４】厚手読取媒体であるスライドマウントキャリアの搬送状態説明図である。
【図５】薄手読取媒体であるストリップフィルムの搬送状態説明図である。
【符号の説明】
１    …装置本体
２    …マウントキャリア
２ａ  …穴
３    …駆動ローラ
４    …従動ローラ
５    …ローラ保持枠
６    …バネ
７    …バネ
８    …カム
８ａ  …軸
９    …ベルト
１０    …照明ランプ
１１    …ミラー
１２    …レンズ
１３    …ラインセンサ
１４    …駆動モータ
１６    …光センサ
１７    …ストリップフィルム
１７ａ  …穴
１８    …操作ツマミ
１９    …スライド用フィルム
【図１】
2004236260.tif 000003
【図２】
2004236260.tif 000004
【図３】
2004236260.tif 000005
【図４】
2004236260.tif 000006
【図５】
2004236260.tif 000007